(57)【特許請求の範囲】
【請求項１】
第１パラメータの変化に対する第２パラメータの変化を示す被測定波形を当該第１パラメータについての第１パラメータ軸および当該第２パラメータについての第２パラメータ軸で構成される座標平面内に表示させる表示部と、
指定操作によって指定された前記被測定波形上の一点を検索点として特定して前記表示部に表示させる処理部とを備えた波形表示装置であって、
前記指定操作によって指定された前記座標平面内の指定位置についての前記第１パラメータ軸の座標を指定座標として検出する座標検出部を有し、
前記処理部は、前記表示部に表示されている前記被測定波形についての極大点および極小点のうちの少なくとも一方の極点を検索する処理を実行すると共に、前記座標検出部から前記指定座標を入力したときに、前記検索した極点についての前記第１パラメータ軸の座標が当該指定座標を含む予め決められた基準範囲内に含まれているときには、当該第１パラメータ軸の座標が当該指定座標に最も近い極点の座標を前記検索点として特定し、前記検索した極点についての前記第１パラメータ軸の座標が前記基準範囲内に含まれていないときには、前記被測定波形における当該指定座標上の点を前記検索点として特定する波形表示装置。
【請求項２】
前記基準範囲を規定する設定データを出力する操作部を備えている請求項１記載の波形表示装置。
【請求項３】
第１パラメータの変化に対する第２パラメータの変化を示す被測定波形を当該第１パラメータについての第１パラメータ軸および当該第２パラメータについての第２パラメータ軸で構成される座標平面内に表示させた状態において、指定操作によって指定された当該被測定波形上の一点を検索点として特定して表示させる波形表示方法であって、
前記指定操作によって指定された前記座標平面内の指定位置についての前記第１パラメータ軸の座標を指定座標として検出し、
前記表示されている被測定波形についての極大点および極小点のうちの少なくとも一方の極点を検索し、前記指定座標を検出したときに、前記検索した極点についての前記第１パラメータ軸の座標が当該指定座標を含む予め決められた基準範囲内に含まれているときには、当該第１パラメータ軸の座標が当該指定座標に最も近い極点の座標を前記検索点として特定し、前記検索した極点についての前記第１パラメータ軸の座標が前記基準範囲内に含まれていないときには、前記被測定波形における当該指定座標上の点を前記検索点として特定する波形表示方法。
【発明の詳細な説明】
【技術分野】
【０００１】
本発明は、被測定波形の波形データに基づいて被測定波形を表示部に表示させると共に、指定操作によって指定された被測定波形上の一点を検索点として特定して表示部に表示させる波形表示装置および波形表示方法に関するものである。
【背景技術】
【０００２】
この種の波形表示装置として、下記特許文献１に開示された波形表示装置が知られている。この波形表示装置は、ユーザが操作を行うためのインターフェースとして操作手段を備え、この操作手段には操作のための各種キーやスイッチが設けられている。例えば、表示手段の画面上でカーソルなどのマークやライン、領域などを移動させて所望の位置や範囲を指定するためのポインティングデバイスが設けられている。また、この波形表示装置では、ポインティングデバイスとして、マウスやライトペン、タッチパネルなどを使うことが可能となっている。
【先行技術文献】
【特許文献】
【０００３】
【特許文献１】特開２００２−３３３４５４号公報（第６頁、第１図）
【発明の概要】
【発明が解決しようとする課題】
【０００４】
ところが、上記の波形表示装置には、以下の課題が存在している。すなわち、従来の波形表示装置では、ユーザが、上記のようなマウスやライトペンやタッチパネルなどのポインティングデバイスを使用することにより、画面上に表示されている被測定波形上の任意の一点を検索点として特定し、この検索点における被測定波形のレベル値などを測定することが可能となっている。しかしながら、マウスやライトペンやタッチパネルでは、指定位置の分解能が低いため、被測定波形上の所望の位置を正確に特定することが困難である。波形測定の分野においては、極点（極大点や極小点）が複数存在している被測定波形についての任意の１つの極点のレベル値（極値）を測定することが行われているが、上記の波形表示装置では、被測定波形上の所望の位置を正確に検索点として特定することが困難なため、所望の極点のレベル値を正確に測定できないことになるため、この課題の改善が特に望まれている。
【０００５】
本発明は、かかる課題に鑑みてなされたものであり、被測定波形上の任意の極点を検索点として正確に特定し得る波形表示装置を提供することを主目的とする。
【課題を解決するための手段】
【０００６】
上記目的を達成すべく請求項１記載の波形表示装置は、第１パラメータの変化に対する第２パラメータの変化を示す被測定波形を当該第１パラメータについての第１パラメータ軸および当該第２パラメータについての第２パラメータ軸で構成される座標平面内に表示させる表示部と、指定操作によって指定された前記被測定波形上の一点を検索点として特定して前記表示部に表示させる処理部とを備えた波形表示装置であって、前記指定操作によって指定された前記座標平面内の指定位置についての前記第１パラメータ軸の座標を指定座標として検出する座標検出部を有し、前記処理部は、前記表示部に表示されている前記被測定波形についての極大点および極小点のうちの少なくとも一方の極点を検索する処理を実行すると共に、前記座標検出部から前記指定座標を入力したときに、前記検索した極点についての前記第１パラメータ軸の座標が当該指定座標を含む予め決められた基準範囲内に含まれているときには、当該第１パラメータ軸の座標が当該指定座標に最も近い極点の座標を前記検索点として特定し、前記検索した極点についての前記第１パラメータ軸の座標が前記基準範囲内に含まれていないときには、前記被測定波形における当該指定座標上の点を前記検索点として特定する。
【０００８】
請求項２記載の波形表示装置は、請求項１記載の波形表示装置において、前記基準範囲を規定する設定データを出力する操作部を備えている。
【０００９】
請求項３記載の波形表示方法は、第１パラメータの変化に対する第２パラメータの変化を示す被測定波形を当該第１パラメータについての第１パラメータ軸および当該第２パラメータについての第２パラメータ軸で構成される座標平面内に表示させた状態において、指定操作によって指定された当該被測定波形上の一点を検索点として特定して表示させる波形表示方法であって、前記指定操作によって指定された前記座標平面内の指定位置についての前記第１パラメータ軸の座標を指定座標として検出し、前記表示されている被測定波形についての極大点および極小点のうちの少なくとも一方の極点を検索し、前記指定座標を検出したときに、前記検索した極点についての前記第１パラメータ軸の座標が当該指定座標を含む予め決められた基準範囲内に含まれているときには、当該第１パラメータ軸の座標が当該指定座標に最も近い極点の座標を前記検索点として特定し、前記検索した極点についての前記第１パラメータ軸の座標が前記基準範囲内に含まれていないときには、前記被測定波形における当該指定座標上の点を前記検索点として特定する。
【発明の効果】
【００１０】
請求項１記載の波形表示装置および請求項３記載の波形表示方法では、指定操作によって指定された座標平面内の指定位置についての第１パラメータ軸の座標を指定座標として検出し、表示されている被測定波形についての極大点および極小点のうちの少なくとも一方の極点が検索された状態において、指定座標を検出したときに、検索された極点のうちから極点についての第１パラメータ軸の座標が指定座標に最も近い極点を検索点として特定する。したがって、この波形表示装置および波形表示方法によれば、表示部に表示されている被測定波形の所望の極点における第２パラメータを測定するためにこの極点を指定した場合において、指定位置が所望の極点からずれていたとしても、指定位置に最も近い極点を検索点として特定できる。通常は、実際に指定された指定位置はすべての極点の中で所望の極点と一番近いと考えられるため、結果として、所望の極点を確実に検索点として特定することができ、これにより、所望の極点の正確な第２パラメータを測定することができる。
【００１１】
また、指定座標を含む予め決められた基準範囲内に最も近い極点の座標が含まれているときに、極点を検索点として特定し、基準範囲内に最も近い極点の座標が含まれていないときには、被測定波形における指定座標上の点を検索点として特定する。したがって、この波形表示装置によれば、ユーザが極点から意図的にずらして指定位置を指定することで、被測定波形の極点以外の点を検索点することができ、この検索点のレベル値についても測定することができる。
【００１２】
また、請求項２記載の波形表示装置によれば、基準範囲を規定する設定データを出力する操作部を備えたことにより、表示部に表示されている被測定波形の各極点の間隔の広狭に応じてユーザが基準範囲を任意に規定することができる。したがって、波形表示装置によれば、各極点の間隔の広いときには基準範囲を広くし、また各極点の間隔の狭いときには基準範囲を狭くすることができるため、ユーザが所望する極点をより正確に検索点として特定することができる。
【図面の簡単な説明】
【００１３】
【図１】波形表示装置１の構成を示す構成図である。
【図２】スペクトル波形Ｗｓと共に、指定位置Ａおよび基準範囲Ｘｒｅｆを画面１１に表示させた状態の説明図である。
【図３】スペクトル波形Ｗｓと共に、検索した検索点Ｐｓｅにおいてカーソル１３を画面１１に表示させた状態の説明図である。
【図４】スペクトル波形Ｗｓと共に、他の指定位置Ａおよび他の基準範囲Ｘｒｅｆを画面１１に表示させた状態の説明図である。
【図５】スペクトル波形Ｗｓと共に、検索した他の検索点Ｐｓｅにおいてカーソル１３を画面１１に表示させた状態の説明図である。
【図６】波形表示装置１の検索点表示処理５０での動作を説明するためのフローチャートである。
【図７】図６のカーソルの表示処理５３での波形表示装置１の動作を説明するためのフローチャートである。
【発明を実施するための形態】
【００１４】
以下、波形表示装置の実施の形態について、添付図面を参照して説明する。
【００１５】
最初に、波形表示装置１の構成について、図面を参照して説明する。なお、図２に示すように、周波数軸（第１パラメータ軸に相当し、この例ではＸ軸）およびレベル軸（第２パラメータ軸に相当し、この例ではＹ軸）で構成される座標平面（ＸＹ平面）内における周波数（第１パラメータに相当する）の変化に対する物理量（例えば、インピーダンス）のレベル（第２パラメータに相当する）の変化を示すスペクトル波形Ｗｓを被測定波形の一例として挙げて説明する。
【００１６】
図１に示す波形表示装置１は、処理部２、記憶部３、操作部４および表示部５を備え、入力した波形データＤｓに基づくスペクトル波形を表示部５の画面１１上に表示させると共に、スペクトル波形の極大点および極小点のうちの少なくとも一方の極点（本例では一例として、極大点および極小点）を検索可能に構成されている。また、本例では、１つの波形データＤｓは、一例として、スペクトル波形Ｗｓのレベルを示すレベルデータと、このレベルデータが測定された周波数を示す周波数データとを有して構成されている。
【００１７】
処理部２は、ＣＰＵおよび内部メモリ（いずれも図示せず）を備えて構成されて、波形データＤｓの記憶処理を実行すると共に、操作部４から入力される動作指示Ｓｓに基づいて波形表示処理を実行する。また、処理部２は、検索点表示処理を実行すると共に、表示部５に対する制御処理を実行する。記憶部３は、半導体メモリやＨＤＤ（Hard Disk Drive）などを備えて構成されて、波形データＤｓを記憶すると共に、処理部２のワークメモリとして機能する。また、記憶部３には、処理部２のための動作プログラムが予め記憶されている。また、記憶部３は、検索点表示処理で使用する基準範囲Ｘｒｅｆを規定するための基準長Ｌが操作部４に対する操作によって設定されたときに、その基準長Ｌを記憶する。操作部４は、例えば、キーボードなどで構成されて、処理部２に対する動作指示Ｓｓを出力する。また、操作部４は、基準範囲Ｘｒｅｆを規定するための基準長Ｌを設定する操作が可能に構成され、その操作がされたときに基準長Ｌ（設定データ）を出力する。
【００１８】
表示部５は、一例としてＬＣＤ（Liquid Crystal Display）を有して構成されている。また、表示部５は、ＬＣＤにおけるＬＣＤパネル５ａの画面１１上に、図２に示すようにスペクトル波形Ｗｓを表示する。一例として、表示部５は、画面１１上に波形表示枠１２を表示し、この波形表示枠１２内に波形データＤｓで表されるスペクトル波形Ｗｓを表示する。本例では、表示部５は、波形表示枠１２における下辺を周波を示す横軸（第１パラメータ軸に相当するＸ軸）とし、かつ波形表示枠１２における左辺を波形データＤｓのレベル値を示すレベル軸（第２パラメータ軸に相当するＹ軸）として、スペクトル波形Ｗｓを表示する。また、ＬＣＤパネル５ａは、タッチパネル（不図示）が組み込まれることで座標検出部として構成されている。
【００１９】
この構成により、ＬＣＤパネル５ａが、指やペンによって画面１１上で指定された１つの指定位置Ａについて、その座標（一例として波形表示枠１２の左下隅を原点ＯとするＸ−Ｙ座標系でのＸ，Ｙ座標）を検出して、座標（Ｘａ，Ｙａ）として出力し、表示部５は、この座標（Ｘａ，Ｙａ）のうちのＸ座標Ｘａを指定位置Ａの指定座標として、処理部２に出力する。この場合、上記したように、Ｘ軸としての波形表示枠１２の下枠が周波数軸となるため、指定座標Ｘａは、指定位置Ａでの周波数値を示すものとなる。また、表示部５は、指定位置ＡのＸ座標Ｘａ上に縦線（Ｙ軸と平行な縦線）で構成されるカーソル１３（本例では一例として一点鎖線：図３参照）を表示する。また、表示部５は、一例として波形表示枠１２内に数値表示枠１４を表示すると共に、カーソル１３の位置でのスペクトル波形Ｗｓのレベル値を数値表示枠１４内に表示する。
【００２０】
次に、波形表示装置１の動作について、図面を参照して説明する。
【００２１】
作動状態において、処理部２は、まず、波形データＤｓの入力待ちの状態に移行する。処理部２は、この状態において、外部から波形データＤｓが供給されたときには、記憶処理を実行して、波形データＤｓを入力すると共に、入力した波形データＤｓを記憶部３に記憶させる。また、処理部２は、この記憶処理が完了した後、操作部４からの動作指示Ｓｓの入力を待つ入力待ちの状態に移行する。
【００２２】
次いで、処理部２は、この状態において操作部４から基準長Ｌ（設定データ：一例として、画面１１上での周波数軸に沿った長さが１０ｍｍとする）が出力されたときには、その基準長Ｌを記憶部３に記憶させた後、操作部４からの動作指示Ｓｓの入力を待つ入力待ちの状態に移行する。続いて、処理部２は、操作部４から波形表示開始の動作指示Ｓｓを入力したときには、波形表示処理を実行する。この波形表示処理では、処理部２は、記憶部３から波形データＤｓを読み出すと共に、読み出した波形データＤｓに基づいて、図２に示すように、表示部５の画面１１上における波形表示枠１２内にスペクトル波形Ｗｓを周波数軸の全体に亘って表示させる。これにより、左側から右側に向けて周波数が高くなる周波数軸に沿ってスペクトル波形Ｗｓを表示する波形表示処理が完了し、処理部２は、操作部４からの動作指示Ｓｓの入力を待つ入力待ちの状態に移行する。
【００２３】
続いて、処理部２は、この状態において操作部４から最初の検索指示の動作指示Ｓｓを入力したときには、図６に示す検索点表示処理５０を実行する。この検索点表示処理５０では、処理部２は、まず、波形データＤｓに基づいて、スペクトル波形Ｗｓに存在するすべての極点Ｐ（極大点Ｐｍａｘおよび極小点Ｐｍｉｎ）を検出して（極点Ｐとなる波形データＤｓを特定して）、検出した各極点Ｐに対応させてその波形データＤｓを内部メモリに記憶する（ステップ５１）。この場合、極大点および極小点の検出方法については、時系列的に相前後する２つの波形データＤｓにおけるレベルデータの値を順次比較して検出する方法を初めとして各種の方法を採用することができる。また、処理部２は、この検出した各極点ＰについてのＸ座標Ｘｐを特定して、検出した極点Ｐに対応させて内部メモリに記憶する。本例では一例として、図２に示すように、スペクトル波形Ｗｓには極大点Ｐｍａｘおよび極小点Ｐｍｉｎが３つずつ存在している。このため、各極点ＰのＸ座標Ｘｐを原点Ｏ側から順番にＸｐ１，Ｘｐ２，Ｘｐ３，Ｘｐ４，Ｘｐ５，Ｘｐ６（以下、特に区別しないときにはＸｐともいう）としたときに、処理部２は、これらのＸ座標Ｘｐ１〜Ｘｐ６を記憶部３に記憶する。
【００２４】
次いで、処理部２は、操作部４からの検索終了指示を示す動作指示Ｓｓの入力の有無を検出する処理（ステップ５５）、および表示部５からのＸ座標Ｘａの入力の有無を検出する処理（ステップ５２）を繰り返し実行する状態に移行する。この状態において、指やペンによって画面１１上において指定位置Ａが指定されたときには、表示部５が処理部２に対してＸ座標Ｘａを出力する。これにより、処理部２は、表示部５からＸ座標Ｘａを入力するため、表示部５に対してカーソル１３を表示させる表示処理を実行する（ステップ５３）。
【００２５】
この表示処理では、処理部２は、図７に示すように、まず、記憶部３から読み出した基準長Ｌと表示部５から入力したＸ座標Ｘａとに基づいて、Ｘ座標Ｘａを含み、かつ周波数軸に沿った長さが基準長Ｌとなる基準範囲Ｘｒｅｆを規定する（ステップ６１）。本例では、一例として、処理部２は、Ｘ座標Ｘａを中心として基準範囲Ｘｒｅｆを規定する。つまり、Ｘ座標Ｘａを基準として±Ｌ／２となるように基準範囲Ｘｒｅｆを規定する。なお、この構成に限定されず、Ｘ座標Ｘａを範囲内に含む限り、Ｘ座標Ｘａの位置に対する基準範囲Ｘｒｅｆの範囲（Ｘ座標の横幅）は任意に規定することができる。
【００２６】
次いで、処理部２は、規定した基準範囲Ｘｒｅｆと、記憶部３から読み出したＸ座標Ｘｐ（Ｘｐ１〜Ｘｐ６）とを比較して、基準範囲Ｘｒｅｆ内に含まれるＸ座標Ｘｐが有るか否かを判別する（ステップ６２）。続いて、処理部２は、この判別の結果、基準範囲Ｘｒｅｆ内に含まれるＸ座標Ｘｐが１または２以上有ると判別したときには、このＸ座標ＸｐのうちのＸ座標Ｘａに最も近いＸ座標Ｘｐを特定すると共に、この特定したＸ座標Ｘｐの１つの極点Ｐを検索点Ｐｓｅとして特定する（ステップ６３）。一方、処理部２は、ステップ６２での判別の結果、基準範囲Ｘｒｅｆ内にＸ座標Ｘｐが１つも含まれていないと判別したときには、スペクトル波形Ｗｓ上のＸ座標Ｘａの点を検索点Ｐｓｅとして特定する（ステップ６４）。
【００２７】
続いて、処理部２は、ステップ６３またはステップ６４において検索点Ｐｓｅを特定した後、この検索点Ｐｓｅにカーソル１３を表示させる（ステップ６５）。これにより、カーソルの表示処理５３が完了する。
【００２８】
このカーソルの表示処理５３について、具体例を挙げて説明する。例えば、図２に示すように、基準範囲Ｘｒｅｆ内にＸ座標Ｘｐが１つ（Ｘ座標Ｘｐ２）含まれているときには、処理部２は、このＸ座標Ｘｐ２がＸ座標Ｘａに最も近いため、このＸ座標Ｘｐ２の極点Ｐ（極大点Ｐｍａｘ）を検索点Ｐｓｅとして特定する。また、図示はしないが、基準範囲Ｘｒｅｆ内にＸ座標Ｘｐが２以上含まれているときには、処理部２は、これらのＸ座標ＸｐのうちからＸ座標Ｘａに最も近いＸ座標Ｘｐを特定し、この特定した１つのＸ座標Ｘｐの極点Ｐを検索点Ｐｓｅとして特定する。次いで、処理部２は、図３に示すように、この検索点Ｐｓｅにカーソル１３を表示させる。
【００２９】
一方、図４に示すように、基準範囲Ｘｒｅｆ内にＸ座標Ｘｐが１つも含まれていないときには、処理部２は、スペクトル波形Ｗｓ上におけるＸ座標Ｘａの点を検索点Ｐｓｅとして特定して、図５に示すように、この検索点Ｐｓｅにカーソル１３を表示させる。
【００３０】
このカーソルの表示処理５３を実行した後、処理部２は、図６に示すように、検索点Ｐｓｅのレベル値を表示する処理を実行する（ステップ５４）。この処理では、処理部２は、検索点Ｐｓｅの波形データＤｓを構成するレベルデータで示されるレベル値を、図３や図５に示すように、数値表示枠１４内に数値表示させる。図３においては、極点Ｐが検索点Ｐｓｅとなるため、数値表示枠１４に表示される数値は、極点のレベル値（つまり、極値）となる。処理部２は、上記したステップ５５において、検索終了指示を示す動作指示Ｓｓの入力を検出するまで、上記したステップ５２，５３，５４を繰り返し実行する。一方、処理部２は、ステップ５５において、検索終了指示の動作指示Ｓｓの入力を検出したときには、検索点表示処理５０を終了させる。
【００３１】
このように、この波形表示装置１では、タッチパネルが組み込まれたＬＣＤパネル５ａがユーザの指定操作によって表示部５の画面１１上で指定された指定位置Ａについての周波数軸（パラメータ軸）のＸ座標Ｘａを指定座標として検出して、表示部５がこのＸ座標Ｘａを処理部２に出力し、処理部２が、表示部５からＸ座標Ｘａを入力したときに、スペクトル波形Ｗｓの各極点Ｐのうちから周波数軸のＸ座標ＸｐがＸ座標Ｘａに最も近い極点Ｐを検索点Ｐｓｅとして特定する。
【００３２】
したがって、この波形表示装置１によれば、ユーザが画面１１に表示されているスペクトル波形Ｗｓの所望の極点Ｐのレベル値を測定するために画面１１上でこの極点Ｐを指定した場合において、指定位置Ａが所望の極点Ｐからずれていたとしても、指定位置Ａに最も近い極点Ｐを検索点Ｐｓｅとして特定できる。通常は、実際に指定された指定位置Ａはすべての極点Ｐの中で所望の極点Ｐと一番近いと考えられるため、結果として、所望の極点Ｐを確実に検索点Ｐｓｅとして特定することができ、これにより、数値表示枠１４内に表示されているレベル値に基づいて所望の極点Ｐの正確なレベル値を測定することができる。
【００３３】
また、この波形表示装置１では、処理部２は、指定位置ＡのＸ座標Ｘａを含む予め決められた基準範囲Ｘｒｅｆ内に、最も近い極点（所望の極点）Ｐについての周波数軸のＸ座標Ｘｐが含まれているときに、この最も近い極点Ｐを検索点Ｐｓｅとして特定し、基準範囲Ｘｒｅｆ内に、最も近い極点Ｐについての周波数軸の座標が含まれていないときには、スペクトル波形ＷｓにおけるＸ座標Ｘａの点を検索点Ｐｓｅとして特定する。
【００３４】
したがって、この波形表示装置１によれば、ユーザが極点Ｐから意図的にずらして指定位置Ａを指定することにより、スペクトル波形Ｗｓの極点Ｐ以外の点を検索点Ｐｓｅすることができ、この検索点Ｐｓｅのレベル値についても測定することができる。
【００３５】
また、この波形表示装置１によれば、基準範囲Ｘｒｅｆを規定する基準長Ｌを出力する操作部４を備えたことにより、波形表示枠１２に表示されているスペクトル波形Ｗｓの各極点Ｐの間隔の広狭に応じてユーザが基準範囲Ｘｒｅｆを任意に規定することができる。したがって、波形表示装置１によれば、各極点Ｐの間隔の広いときには基準範囲Ｘｒｅｆを広くし、また各極点Ｐの間隔の狭いときには基準範囲Ｘｒｅｆを狭くすることができるため、ユーザが所望する極点Ｐをより正確に検索点Ｐｓｅとして特定することができる。
【００３６】
なお、ユーザによって設定された基準長Ｌに基づいて基準範囲Ｘｒｅｆを規定する構成を採用した例について上記したが、基準長Ｌを記憶部３に予め記憶させておき、その基準長Ｌに基づいて基準範囲Ｘｒｅｆを規定する構成を採用することもできる。この場合、基準長Ｌについては、指やペンによって指定位置Ａが指定されるときには、指定位置Ａがこの基準長Ｌの範囲内に含まれるであろうと推測される長さに予め規定するのが好ましい。
【００３７】
また、スペクトル波形Ｗｓに存在する極大点および極小点のうちから所望の１つの極点を検索点とする構成について上記したが、ステップ５１において極大点および極小点のうちから選択された一方のみを検出する構成を採用することで、極大点および極小点の一方を検索点Ｐｓｅとして特定する構成を採用することもできる。
【００３８】
また、第１パラメータ軸としての周波数軸および第２パラメータ軸としてのレベル軸で構成される座標平面内において第１パラメータとしての周波数の変化に対する第２パラメータとしての物理量（上記の例では、インピーダンス）のレベルの変化を示す被測定波形としてのスペクトル波形Ｗｓを表示させる際に適用する例について上記したが、第２パラメータとしての電圧値、電流値、電力値、抵抗値および温度などの各種の物理量のレベルの変化を示す波形を表示させる際に適用することができるのは勿論である。また、第１パラメータ軸としての時間軸およびレベル軸で構成される座標平面内において電圧値、電流値、電力値、抵抗値、インピーダンスおよび温度などの各種の物理量のレベルについての経時変化を示す波形を表示させる際に適用することができるのも勿論である。また、信号波形（被測定波形）を波形データＤｓに変換するデータ変換部を備えて、アナログ信号としての信号波形を入力する構成を採用することもできる。
【００３９】
また、座標検出部としてタッチパネルが組み込まれたＬＣＤパネル５ａを使用している例について上記したが、マウスを使用し、かつ処理部２がマウスからの信号に基づいてＬＣＤやＣＲＴの画面上にカーソル１３とは異なる他のカーソル（一例として矢印形状のカーソル）を表示させる構成を採用することにより、処理部２が座標検出部として機能してこの他のカーソルの位置を指定位置Ａとして認識して、この指定位置ＡのＸ座標Ｘａを指定座標Ｐｓｅとすることもできる。また、表示部５をＣＲＴで構成し、かつライトペンを使用する構成を採用することにより、処理部２が座標検出部として機能して、ＣＲＴ上におけるライトペンの接触位置を指定位置Ａとして認識して、この指定位置ＡのＸ座標Ｘａを指定座標Ｐｓｅとすることもできる。
【符号の説明】
【００４０】
１  波形表示装置
２  処理部
３  記憶部
５  表示部
５ａ  ＬＣＤパネル
１１  画面
１３  カーソル
Ａ  指定位置
Ｄｓ  波形データ
Ｐｓｅ  検索点
Ｗｓ  スペクトル波形
【図１】
0005501869.tif 000002
【図２】
0005501869.tif 000003
【図３】
0005501869.tif 000004
【図４】
0005501869.tif 000005
【図５】
0005501869.tif 000006
【図６】
0005501869.tif 000007
【図７】
0005501869.tif 000008